(57)【要約】【課題】歩行者が手間をかけずに、横断歩道を安全に渡る。【解決手段】携帯通信端末が所定の通信範囲に入ったことを検知する検知部１１０と、検知部１１０が、携帯通信端末が通信範囲に入ったことを検知した場合、押しボタン式信号機に対して、押しボタン式信号機に具備された、信号の点灯状態を制御するためのボタンが押下された場合の信号制御処理を行うように要求する要求部１２０とを有する。【選択図】図１
2015197798.tif 000002
【特許請求の範囲】
【請求項１】
携帯通信端末が所定の通信範囲に入ったことを検知する検知部と、
前記検知部が、前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する要求部とを有する無線基地局。
【請求項２】
請求項１に記載の無線基地局において、
前記要求部は、前記押しボタン式信号機に対して、該押しボタン式信号機の点灯状態を、横断の禁止を示す点灯状態から横断の許可を示す点灯状態へ変更させる信号制御処理を行うように要求する無線基地局。
【請求項３】
請求項１または請求項２に記載の無線基地局において、
前記携帯通信端末を識別するための端末識別情報をあらかじめ記憶する記憶部を有し、
前記要求部は、前記通信範囲に入ったことが検知された携帯通信端末から前記端末識別情報を取得し、該取得した端末識別情報と一致する端末識別情報が前記記憶部に記憶されている場合、前記信号制御処理を行うように要求する無線基地局。
【請求項４】
請求項３に記載の無線基地局において、
前記記憶部が前記端末識別情報をあらかじめ記憶するための登録信号を報知する報知部を有し、
前記記憶部は、前記報知部が報知した登録信号に対して、前記携帯通信端末から送信されてきた前記端末識別情報を記憶する無線基地局。
【請求項５】
請求項１から４のいずれか１項に記載の無線基地局において、
フェムトセル用基地局である無線基地局。
【請求項６】
請求項１から５のいずれか１項に記載の無線基地局において、
前記押しボタン式信号機内に設けられた無線基地局。
【請求項７】
携帯通信端末と、押しボタン式信号機と、無線基地局とを有する通信システムにおいて、
前記無線基地局は、
前記携帯通信端末が所定の通信範囲に入ったことを検知する検知部と、
前記検知部が、前記携帯通信端末が通信範囲に入ったことを検知した場合、前記押しボタン式信号機に対して、該押しボタン式信号機に具備された、信号の点灯状態を制御するためのボタンが押下された場合の信号制御処理を行うように要求する要求部とを有し、
前記押しボタン式信号機は、
前記要求部から前記信号制御処理を行うように要求された場合、該信号制御処理を行う信号点灯制御部を有する通信システム。
【請求項８】
携帯通信端末が所定の通信範囲に入ったことを検知する処理と、
前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する処理とを行う信号制御方法。
【請求項９】
コンピュータに、
携帯通信端末が所定の通信範囲に入ったことを検知する手順と、
前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する手順とを実行させるためのプログラム。
【発明の詳細な説明】
【技術分野】
【０００１】
本発明は、信号を制御する無線基地局、通信システム、信号制御方法およびプログラムに関する。
【背景技術】
【０００２】
幹線道路等に設けられた横断歩道には、押しボタン式信号機が設置されている場合が多い。この押しボタン式信号機では、押しボタン式信号機に具備されたボタンを歩行者が押下することで、信号機の点灯状態を、歩行者が横断歩道を安全に渡るための点灯状態へ変更する制御が行われる。
また、交差点に設けられた通信領域に携帯電話機が進入すると、管理装置から携帯電話機へ交差点への接近を通知し、通知が行われた携帯電話機を所持している歩行者が当該携帯電話機を操作することで、その交差点の信号機の点灯状態を制御するシステムが考えられている（例えば、特許文献１参照。）。
【先行技術文献】
【特許文献】
【０００３】
【特許文献１】特開２００５−１９０４３８号公報
【発明の概要】
【発明が解決しようとする課題】
【０００４】
しかしながら、上述した押しボタン式信号機においては、信号機の点灯状態を変更するためには、信号機に設けられたボタンを押す手間がかかってしまうという問題点がある。そのため、ボタンを押さずに信号機の点灯状態が赤色を点灯している状態であるにもかかわらず横断してしまう歩行者も見受けられる。
また、特許文献１に記載されたシステムにおいても、信号機の点灯状態を変更するためには、携帯電話機を操作する手間がかかってしまうという問題点がある。
本発明の目的は、上述した課題を解決する無線基地局、通信システム、信号制御方法およびプログラムを提供することである。
【課題を解決するための手段】
【０００５】
本発明の無線基地局は、
携帯通信端末が所定の通信範囲に入ったことを検知する検知部と、
前記検知部が、前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する要求部とを有する。
また、本発明の通信システムは、
携帯通信端末と、押しボタン式信号機と、無線基地局とを有する通信システムであって、
前記無線基地局は、
前記携帯通信端末が所定の通信範囲に入ったことを検知する検知部と、
前記検知部が、前記携帯通信端末が通信範囲に入ったことを検知した場合、前記押しボタン式信号機に対して、該押しボタン式信号機に具備された、信号の点灯状態を制御するためのボタンが押下された場合の信号制御処理を行うように要求する要求部とを有し、
前記押しボタン式信号機は、
前記要求部から前記信号制御処理を行うように要求された場合、該信号制御処理を行う信号点灯制御部を有する。
また、本発明の信号制御方法は、
携帯通信端末が所定の通信範囲に入ったことを検知する処理と、
前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する処理とを行う。
また、本発明のプログラムは、
コンピュータに実行させるためのプログラムであって、
携帯通信端末が所定の通信範囲に入ったことを検知する手順と、
前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する手順とを実行させる。
【発明の効果】
【０００６】
以上説明したように、本発明においては、歩行者が手間をかけずに、横断歩道を安全に渡ることができる。
【図面の簡単な説明】
【０００７】
【図１】本発明の無線基地局の第１の実施の形態を示す図である。
【図２】図１に示した形態における信号制御方法の一例を説明するためのフローチャートである。
【図３】本発明の無線基地局の第２の実施の形態を示す図である。
【図４】図３に示した無線基地局の内部構成の一例を示す図である。
【図５】図３に示した無線基地局の通信範囲の一例を示す図である。
【図６】図３に示した無線基地局の通信範囲の他の例を示す図である。
【図７】図４に示した記憶部に記憶された端末識別情報の一例を示す図である。
【図８】図３に示した押しボタン式信号機の内部構成の一例を示す図である。
【図９】図３に示した形態における信号制御方法のうち、端末識別情報を登録する処理の第１の例を説明するためのシーケンス図である。
【図１０】図３に示した形態における信号制御方法のうち、端末識別情報を登録する処理の第２の例を説明するためのシーケンス図である。
【図１１】図３に示した形態における信号制御方法のうち、端末識別情報を登録する処理の第３の例を説明するためのシーケンス図である。
【図１２】図３に示した形態における信号制御方法のうち、端末識別情報を登録した後の処理の一例を説明するためのシーケンス図である。
【発明を実施するための形態】
【０００８】
以下に、本発明の実施の形態について図面を参照して説明する。
（第１の実施の形態）
【０００９】
図１は、本発明の無線基地局の第１の実施の形態を示す図である。
本形態における無線基地局１００は図１に示すように、検知部１１０と、要求部１２０とを有している。なお、図１には、本形態における無線基地局１００に設けられた構成要素のうち、本実施の形態に関わる主要な構成要素の一例を示す。ここで、無線基地局１００は、フェムトセルエリアを通信範囲とする小型無線基地局（フェムトセル用基地局）である。
検知部１１０は、携帯通信端末が無線基地局１００の通信範囲に入ったことを検知する。この検知方法は、一般的な無線基地局の通信エリアに移動通信端末が在圏するかどうかを判定する方法を用いるもので良い。
要求部１２０は、検知部１１０が、携帯通信端末が通信範囲に入ったことを検知した場合、押しボタン式信号機に対して、押しボタン式信号機に具備された、信号の点灯状態を制御するためのボタンが押下された場合の信号制御処理を行うように要求する。この要求には、無線基地局１００と押しボタン式信号機との間であらかじめ決められた要求信号を用いる。
ここで、押しボタン式信号機は、横断歩道や交差点等に設置された、歩行者が押下するボタンが具備された信号機であって、歩行者がボタンを押下することで、信号機の点灯状態を、歩行者が横断歩道を安全に渡るための点灯状態へ変更する制御を行う。
【００１０】
以下に、本形態における信号制御方法について説明する。
図２は、図１に示した形態における信号制御方法の一例を説明するためのフローチャートである。
【００１１】
まず、検知部１１０が、携帯通信端末が無線基地局１００の通信範囲に入ったことを検知する（ステップＳ１）。検知部１１０が、携帯通信端末が無線基地局１００の通信範囲に入ったことを検知すると、要求部１２０は、押しボタン式信号機に対して、押しボタン式信号機に具備された、信号の点灯状態を制御するためのボタンが押下された場合の信号制御処理を行うように要求する（ステップＳ２）。
【００１２】
このように、無線基地局１００が、携帯通信端末が無線基地局１００の通信範囲に入ったことを検知すると、押しボタン式信号機に対して、押しボタン式信号機に具備された、信号の点灯状態を制御するためのボタンが押下された場合の信号制御処理を行うように要求する。これにより、押しボタン式信号機はボタンが押下された場合の信号制御処理を行い、歩行者が手間をかけずに、横断歩道を安全に渡ることができる。
（第２の実施の形態）
【００１３】
図３は、本発明の無線基地局の第２の実施の形態を示す図である。
本形態は図３に示すように、無線基地局１０１と、携帯通信端末２００と、押しボタン式信号機３００とが設けられた通信システムとなっている。
【００１４】
無線基地局１０１は、フェムトセルエリアを通信範囲とする小型無線基地局（フェムトセル用基地局）である。また、無線基地局１０１は、押しボタン式信号機３００内に設けられているものであっても良いし、押しボタン式信号機３００の近くに設置されているものであっても良い。
図４は、図３に示した無線基地局１０１の内部構成の一例を示す図である。
図３に示した無線基地局１０１は図４に示すように、検知部１１０と、要求部１２１と、記憶部１３０と、報知部１４０とを有している。なお、図４には、図３に示した無線基地局１０１に設けられた構成要素のうち、本実施の形態に関わる主要な構成要素の一例を示す。
【００１５】
検知部１１０は、第１の実施の形態で説明したものと同じものである。ここで、検知部１１０が検知の基準として用いる無線基地局１０１の通信範囲について説明する。この通信範囲は、無線基地局１０１がカバーする通信エリアである。つまり、この通信範囲は、無線基地局１０１が通信可能なエリアである。
図５は、図３に示した無線基地局１０１の通信範囲の一例を示す図である。
図５にて破線で囲んで示すように、図３に示した無線基地局１０１の通信範囲４００は、制御対象となる押しボタン式信号機３００が設置された横断歩道５００の両端よりも外側の部分であって、所定の広さを持つ範囲である。
図６は、図３に示した無線基地局１０１の通信範囲の他の例を示す図である。
図６にて破線で囲んで示すように、図３に示した無線基地局１０１の通信範囲４０１は、制御対象となる押しボタン式信号機３００が設置された横断歩道５００および横断歩道５００の周囲の部分であって、所定の広さを持つ範囲である。
【００１６】
記憶部１３０は、携帯通信端末を識別するための端末識別情報をあらかじめ記憶（登録）する。この端末識別情報の登録方法については後述する。
図７は、図４に示した記憶部１３０に記憶された端末識別情報の一例を示す図である。
図４に示した記憶部１３０には図７に示すように、端末識別情報が一覧となって記憶されている。この端末識別情報は、例えば、携帯通信端末のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であっても良く、検知部１１０が通信範囲に入った携帯通信端末を識別できるものであれば良い。
【００１７】
要求部１２１は、検知部１１０が、携帯通信端末２００が通信範囲に入ったことを検知した場合、押しボタン式信号機３００に対して、押しボタン式信号機３００に具備された、信号の点灯状態を制御するためのボタンが押下された場合の信号制御処理を行うように要求する。この要求には、第１の実施の形態で説明したような要求信号が用いられる。なお、このとき、要求部１２１は、通信範囲に入ったことが検知された携帯通信端末２００から端末識別情報を取得する。そして、要求部１２１は、取得した端末識別情報と一致する端末識別情報が記憶部１３０に記憶されている場合、押しボタン式信号機３００に対して信号制御処理を行うように要求する。
【００１８】
報知部１４０は、記憶部１３０が端末識別情報をあらかじめ記憶するための登録信号をフェムトセル内に報知（ブロードキャスト）する。報知部１４０が報知した登録信号に対して、携帯通信端末２００から送信されてきた端末識別情報を記憶部１３０が記憶する。
【００１９】
押しボタン式信号機３００は、横断歩道や交差点等に設置された、歩行者が押下するボタンが具備された信号機である。また、押しボタン式信号機３００は、歩行者がボタンを押下することで、信号機の点灯状態を、歩行者が横断歩道を安全に渡るための点灯状態へ変更する（例えば、信号機の点灯状態を、横断の禁止を示す点灯状態から横断の許可を示す点灯状態へ変更する）制御を行う。この制御は、押しボタン式信号機３００が接続された交通システムとの間でやり取りされる信号を用いて行うものであっても良いし、押しボタン式信号機３００にあらかじめ記憶されて、実行しているプログラムを用いて行うものであっても良い。
図８は、図３に示した押しボタン式信号機３００の内部構成の一例を示す図である。
図３に示した押しボタン式信号機３００は図８に示すように、信号点灯制御部３１０と、押しボタン部３２０と、信号点灯部３３０とを有している。なお、図８には、図３に示した押しボタン式信号機３００に設けられた構成要素のうち、本実施の形態に関わる主要な構成要素の一例を示す。
【００２０】
信号点灯制御部３１０は、信号点灯部３３０の点灯状態を制御する。具体的には、信号点灯制御部３１０は、信号点灯部３３０が赤色を点灯しているときに押しボタン部３２０が押下された場合、その点灯状態を赤色の点灯から青色の点灯へ変更させる信号制御処理を行う。この信号制御処理は、一般的なものと同様に、押しボタン部３２０が押下された直後に、点灯状態を赤色の点灯から青色の点灯へ変更させるものでなくても良い。例えば、この信号制御処理は、赤色の点灯状態となってから押しボタン部３２０が押下されるまでの時間が所定の時間以下である場合、あらかじめ設定された時間が経過した後に点灯状態を赤色の点灯から青色の点灯へ変更させるものであっても良い。また、この信号制御処理は、赤色の点灯状態となってから押しボタン部３２０が押下されるまでの時間が所定の時間よりも長い場合、押しボタン部３２０が押下された直後に点灯状態を赤色の点灯から青色の点灯へ変更させるものであっても良い。また、信号点灯制御部３１０は、要求部１２１から押しボタン部３２０が押下された場合の上述した信号制御処理を行うように要求された場合、当該信号制御処理を行う。また、信号点灯制御部３１０は、一般的なものと同様に、青色の点灯状態となってから所定の時間が経過すると、信号点灯部３３０の信号の点灯状態を青色の点滅状態へ変更させ、さらに所定の時間が経過すると、信号点灯部３３０の信号の点灯状態を赤色の点灯状態へ変更させる。
押しボタン部３２０は、信号点灯部３３０が赤色を点灯している場合、その点灯状態を赤色の点灯から青色の点灯へ変更させるために、歩行者が押下するボタンである。
信号点灯部３３０は、信号点灯制御部３１０からの制御で、赤色の信号の点灯、または青色の信号の点灯・点滅を行う。
【００２１】
以下に、本形態における信号制御方法について説明する。まずは、携帯通信端末を識別するための端末識別情報をあらかじめ登録する処理について３つの例を挙げて説明する。
図９は、図３に示した形態における信号制御方法のうち、端末識別情報を登録する処理の第１の例を説明するためのシーケンス図である。
まず、携帯通信端末を所持する利用者が、携帯通信端末やＰＣ（Ｐｅｒｓｏｎａｌ  Ｃｏｍｐｕｔｅｒ）等（以下、通信端末と称する）を操作することで、通信端末が通信ネットワークを介して無線基地局１０１へ接続し、無線基地局１０１へ登録要求信号を送信する（ステップＳ１１）。登録要求信号を受信した無線基地局１０１は、登録要求信号を送信してきた通信端末へ登録応答信号を送信する（ステップＳ１２）。この登録応答信号には、携帯通信端末の端末識別情報を無線基地局１０１に登録するための情報が含まれている。
その後、利用者が登録応答信号に従って通信端末を操作することで、通信端末が端末識別情報の入力を受け付けると（ステップＳ１３）、通信端末は受け付けた端末識別情報を無線基地局１０１へ送信する（ステップＳ１４）。この操作は、例えば、通信端末が受信した登録応答信号に従って所定の入力画面を表示し、その入力画面に端末識別情報を入力する操作であっても良い。
通信端末から端末識別情報が送信されてくると、無線基地局１０１の記憶部１３０は、送信されてきた端末識別情報を記憶（登録）する（ステップＳ１５）。
【００２２】
図１０は、図３に示した形態における信号制御方法のうち、端末識別情報を登録する処理の第２の例を説明するためのシーケンス図である。
まず、無線基地局１０１の報知部１４０が、登録信号をブロードキャスト（報知）する（ステップＳ２１）。この登録信号には、携帯通信端末２００の端末識別情報を無線基地局１０１に登録することを促す情報が含まれている。携帯通信端末２００が無線基地局１０１の通信範囲に在圏した場合、携帯通信端末２００は、無線基地局１０１からブロードキャストされた登録信号を受信し、受信した登録信号に従って端末識別情報の登録することを促す入力画面を表示する（ステップＳ２２）。この入力画面は、端末識別情報を登録するかどうかを入力するために「登録する」と「登録しない」とを選択できるように表示する画面であっても良い。
その後、利用者が入力画面に従って通信端末を操作することで、携帯通信端末２００が端末識別情報を登録する旨の入力を受け付けると（ステップＳ２３）、携帯通信端末２００は、自身の端末識別情報を無線基地局１０１へ送信する（ステップＳ２４）。
携帯通信端末２００から端末識別情報が送信されてくると、無線基地局１０１の記憶部１３０は、送信されてきた端末識別情報を記憶（登録）する（ステップＳ２５）。
【００２３】
図１１は、図３に示した形態における信号制御方法のうち、端末識別情報を登録する処理の第３の例を説明するためのシーケンス図である。
まず、押しボタン式信号機３００の押しボタン部３２０や、押しボタン式信号機３００が設置された電柱やポール等に、無線基地局１０１へ接続するための接続情報が含まれるバーコードや二次元コード等が記載されたラベルを貼付しておく。以下、ラベルには二次元コードが記載されている場合を例に挙げて説明する。
携帯通信端末２００が、利用者の操作で、携帯通信端末２００に具備されたコードリーダー等を用いて二次元コードを読み取る（ステップＳ３１）。続いて、利用者の操作で、携帯通信端末２００が読み取った二次元コードに含まれる接続情報に基づいた接続を行う入力を受け付けると（ステップＳ３２）、携帯通信端末２００は、無線基地局１０１へ接続し、自身の端末識別情報を無線基地局１０１へ送信する（ステップＳ３３）。
携帯通信端末２００から端末識別情報が送信されてくると、無線基地局１０１の記憶部１３０は、送信されてきた端末識別情報を記憶（登録）する（ステップＳ３４）。
なお、携帯通信端末２００が接続情報を取得するために、バーコードや二次元コードを用いるものではなく、接続情報が電子的に格納されたＲＦ（Ｒａｄｉｏ  Ｆｒｅｑｕｅｎｃｙ）タグ等を用いるものであっても良い。
【００２４】
以下に、図３に示した形態における信号制御方法のうち、端末識別情報を登録した後の処理について説明する。
図１２は、図３に示した形態における信号制御方法のうち、端末識別情報を登録した後の処理の一例を説明するためのシーケンス図である。
【００２５】
まず、検知部１１０が、携帯通信端末が無線基地局１０１の通信範囲に入ったことを検知する（ステップＳ４１）。検知部１１０が、携帯通信端末が無線基地局１０１の通信範囲に入ったことを検知すると、要求部１２１は、通信範囲に入ったことが検知された携帯通信端末から端末識別情報を取得する（ステップＳ４２）。続いて、要求部１２１は、記憶部１３０に記憶（登録）されている端末識別情報を参照し、取得した端末識別情報と一致する端末識別情報が記憶部１３０に記憶（登録）されているかどうかを判定する（ステップＳ４３）。
取得した端末識別情報と一致する端末識別情報が記憶部１３０に記憶（登録）されていない場合、処理は終了する。一方、取得した端末識別情報と一致する端末識別情報が記憶部１３０に記憶（登録）されている場合は、要求部１２１は、押しボタン式信号機３００に対して、押しボタン部３２０が押下された場合の信号制御処理を行うように要求する（ステップＳ４４）。
すると、押しボタン式信号機３００の信号点灯制御部３１０は、信号点灯部３３０の点灯状態を赤色の点灯から青色の点灯へ変更させる信号制御処理を行う（ステップＳ４５）。
【００２６】
このように、無線基地局１０１が、あらかじめ登録された携帯通信端末が無線基地局１０１の通信範囲に入ったことを検知すると、押しボタン式信号機３００に対して、押しボタン式信号機３００に具備された押しボタン部３２０が押下された場合の信号制御処理を行うように要求する。これにより、押しボタン式信号機３００は押しボタン部３２０が押下された場合の信号制御処理を行い、歩行者が手間をかけずに、横断歩道を安全に渡ることができる。
【００２７】
上述した無線基地局１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）を無線基地局１００，１０１それぞれにて読取可能な記録媒体に記録し、この記録媒体に記録されたプログラムを無線基地局１００，１０１それぞれに読み込ませ、実行するものであっても良い。無線基地局１００，１０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）などの移設可能な記録媒体の他、無線基地局１００，１０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、無線基地局１００，１０１それぞれに設けられたＣＰＵ（Ｃｅｎｔｒａｌ  Ｐｒｏｃｅｓｓｉｎｇ  Ｕｎｉｔ）（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００２８】
上記の実施の形態の一部または全部は、以下の付記のようにも記載され得るが、以下には限られない。
（付記１）携帯通信端末が所定の通信範囲に入ったことを検知する検知部と、
前記検知部が、前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する要求部とを有する無線基地局。
（付記２）前記要求部は、前記押しボタン式信号機に対して、該押しボタン式信号機の点灯状態を、横断の禁止を示す点灯状態から横断の許可を示す点灯状態へ変更させる信号制御処理を行うように要求する、付記１に記載の無線基地局。
（付記３）前記携帯通信端末を識別するための端末識別情報をあらかじめ記憶する記憶部を有し、
前記要求部は、前記通信範囲に入ったことが検知された携帯通信端末から前記端末識別情報を取得し、該取得した端末識別情報と一致する端末識別情報が前記記憶部に記憶されている場合、前記信号制御処理を行うように要求する、付記１または付記２に記載の無線基地局。
（付記４）前記記憶部が前記端末識別情報をあらかじめ記憶するための登録信号を報知する報知部を有し、
前記記憶部は、前記報知部が報知した登録信号に対して、前記携帯通信端末から送信されてきた前記端末識別情報を記憶する、付記３に記載の無線基地局。
（付記５）フェムトセル用基地局である、付記１から４のいずれか１項に記載の無線基地局。
（付記６）前記押しボタン式信号機内に設けられた、付記１から５のいずれか１項に記載の無線基地局。
（付記７）携帯通信端末と、押しボタン式信号機と、無線基地局とを有する通信システムにおいて、
前記無線基地局は、
前記携帯通信端末が所定の通信範囲に入ったことを検知する検知部と、
前記検知部が、前記携帯通信端末が通信範囲に入ったことを検知した場合、前記押しボタン式信号機に対して、該押しボタン式信号機に具備された、信号の点灯状態を制御するためのボタンが押下された場合の信号制御処理を行うように要求する要求部とを有し、
前記押しボタン式信号機は、
前記要求部から前記信号制御処理を行うように要求された場合、該信号制御処理を行う信号点灯制御部を有する通信システム。
（付記８）携帯通信端末が所定の通信範囲に入ったことを検知する処理と、
前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する処理とを行う信号制御方法。
（付記９）コンピュータに、
携帯通信端末が所定の通信範囲に入ったことを検知する手順と、
前記携帯通信端末が前記通信範囲に入ったことを検知した場合、押しボタン式信号機に対して、該押しボタン式信号機に具備された、信号の点灯状態を制御するためのボタンが押下された場合の信号制御処理を行うように要求する手順とを実行させるためのプログラム。
【符号の説明】
【００２９】
１００，１０１    無線基地局
１１０    検知部
１２０，１２１    要求部
１３０    記憶部
１４０    報知部
２００    携帯通信端末
３００    押しボタン式信号機
３１０    信号点灯制御部
３２０    押しボタン部
３３０    信号点灯部
４００，４０１    通信範囲
５００    横断歩道
【図１】
2015197798.tif 000003
【図２】
2015197798.tif 000004
【図３】
2015197798.tif 000005
【図４】
2015197798.tif 000006
【図５】
2015197798.tif 000007
【図６】
2015197798.tif 000008
【図７】
2015197798.tif 000009
【図８】
2015197798.tif 000010
【図９】
2015197798.tif 000011
【図１０】
2015197798.tif 000012
【図１１】
2015197798.tif 000013
【図１２】
2015197798.tif 000014